【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  店舗において陳列されている一つ又は複数の陳列商品を含む映像を取得するための映像取得手段と、
前記映像取得手段が取得した陳列商品を含む映像を、ネットワーク上の顧客に対して販売が可能な商品を示すものとして、通信ネットワークを介して、ネットワーク上の顧客に提供するための映像提供手段と、
前記のネットワーク上の顧客からの前記映像に含まれる陳列商品の中の少なくとも一つについての「購入若しくは購入予約の申込み、又は購入のため若しくは購入予約のために必要な手続」を、通信ネットワークを介して受信するための受信手段と、
前記陳列商品の表面又は近傍の位置に配置された告知手段であって、ある陳列商品についての前記ネットワーク上の顧客からの「購入若しくは購入予約の申込み、又は購入のため若しくは購入予約のために必要な手続」により、その陳列商品が「売り切れ、又は在庫品の無い状態」となったとき、「その陳列商品が既に売り切れ又は在庫品の無い状態となったこと」を、店内の実際の来店客又は店員、及び／又はネットワーク上の顧客に知らせるための告知手段と、
前記のネットワーク上の顧客が、通信ネットワークを介して、ある陳列商品についての「購入若しくは購入予約の申込み、又は購入のため若しくは購入予約のために必要な手続」を行った結果、その陳列商品が「売り切れ、又は在庫品の無い状態」となったとき、その陳列商品についての前記ネットワーク上の顧客からの「購入若しくは購入予約の申込み、又は購入のため若しくは購入予約のために必要な手続」の前記受信手段による受信に基づいて、「その陳列商品が既に売り切れ又は在庫品の無い状態となったこと」を店内の実際の来店客又は店員、及び／又はネットワーク上の顧客に知らせるように、前記告知手段を制御するための告知制御手段と、
を含むことを特徴とする、通信ネットワークを利用した遠隔商品販売用システム。
【請求項２】  店舗に陳列された「少なくともその店舗内では在庫品の無い現物限りの商品」を含む映像を取得するための映像取得手段と、
前記映像取得手段が取得した映像を、ネットワーク上の顧客に対して販売が可能な商品を示すものとして、通信ネットワークを介して、ネットワーク上の顧客に提供するための映像提供手段と、
前記のネットワーク上の顧客からの前記「現物限りの商品」についての「購入若しくは購入予約の申込み、又は購入のため若しくは購入予約のために必要な手続」を、通信ネットワークを介して受信するための受信手段と、
前記「現物限りの商品」の表面又は近傍の位置に配置された告知手段であって、前記「現物限りの商品」が、前記のネットワーク上の顧客からの「購入若しくは購入予約の申込み、又は購入のため若しくは購入予約のために必要な手続」により、陳列はされているが既に「売約済み」となったとき、そのことを、店内の実際の来店客又は店員、及び／又はネットワーク上の顧客に知らせるための告知手段と、
前記ネットワーク上の顧客からの前記「現物限りの商品」についての「購入若しくは購入予約の申込み、又は購入のため若しくは購入予約のために必要な手続」の前記受信手段による受信に基づいて、「その『現物限りの商品』が陳列はされているが既に売約済みとなったこと」を店内の実際の来店客又は店員、及び／又はネットワーク上の顧客に知らせるように、前記告知手段を制御するための告知制御手段と、
を含むことを特徴とする、通信ネットワークを利用した遠隔商品販売用システム。
【請求項３】  店舗において陳列されている一つ又は複数の陳列商品を含む映像を取得するための映像取得手段と、
前記映像取得手段が取得した陳列商品を含む映像を、ネットワーク上の顧客に対して販売が可能な商品を示すものとして、通信ネットワークを介して、ネットワーク上の顧客に提供するための映像提供手段と、
前記のネットワーク上の顧客からの前記映像に含まれる陳列商品の中の少なくとも一つについての「購入若しくは購入予約の申込み、又は購入のため若しくは購入予約のために必要な手続」を、通信ネットワークを介して受信するための受信手段と、
前記陳列商品の表面又は近傍の位置に配置された告知手段であって、ある陳列商品についての前記ネットワーク上の顧客からの「購入若しくは購入予約の申込み、又は購入のため若しくは購入予約のために必要な手続」により、その陳列商品が「売り切れ」の状態となったとき、「その陳列商品が陳列はされているが既に売り切れとなったこと」を、店内の実際の来店客又は店員、及び／又はネットワーク上の顧客に知らせるための告知手段と、
前記のネットワーク上の顧客が、通信ネットワークを介して、ある陳列商品についての「購入若しくは購入予約の申込み、又は購入のため若しくは購入予約のために必要な手続」を行った結果、その陳列商品が「売り切れ」の状態となったとき、その陳列商品についての前記ネットワーク上の顧客からの「購入若しくは購入予約の申込み、又は購入のため若しくは購入予約のために必要な手続」の前記受信手段による受信に基づいて、「その陳列商品が陳列はされているが既に売り切れとなったこと」を店内の実際の来店客又は店員、及び／又はネットワーク上の顧客に知らせるように、前記告知手段を制御するための告知制御手段と、
を含むことを特徴とする、通信ネットワークを利用した遠隔商品販売用システム。
【請求項４】  店舗側は、映像取得手段により取得した店舗において陳列されている一つ又は複数の陳列商品を含む映像を、ネットワーク上の顧客に対して販売が可能なものとして、通信ネットワークを介してネットワーク上の顧客に提供することを可能とし、ネットワーク上の顧客の側は、通信ネットワークを介して前記陳列商品についての「購入若しくは購入予約の申込み、又は購入のため若しくは購入予約のために必要な手続」を店舗側に対して行うことを可能とするための遠隔商品販売用システムであって、
前記陳列商品の表面又は近傍の位置に配置された告知手段であって、ある陳列商品についての前記ネットワーク上の顧客からの「購入若しくは購入予約の申込み、又は購入のため若しくは購入予約のために必要な手続」により、その陳列商品が「売り切れ、又は在庫品の無い状態」となったとき、「その陳列商品が既に売り切れ又は在庫品の無い状態となったこと」を、店内の実際の来店客又は店員、及び／又はネットワーク上の顧客に知らせるための告知手段と、
前記のネットワーク上の顧客が、通信ネットワークを介して、ある陳列商品についての「購入若しくは購入予約の申込み、又は購入のため若しくは購入予約のために必要な手続」を行った結果、その陳列商品が「売り切れ、又は在庫品の無い状態」となったとき、その陳列商品についての前記ネットワーク上の顧客からの「購入若しくは購入予約の申込み、又は購入のため若しくは購入予約のために必要な手続」の前記受信手段による受信に基づいて、「その陳列商品が既に売り切れ又は在庫品の無い状態となったこと」を店内の実際の来店客又は店員、及び／又はネットワーク上の顧客に知らせるように、前記告知手段を制御するための告知制御手段と、
を含むことを特徴とする、通信ネットワークを利用した遠隔商品販売用システム。
【請求項５】  店舗側は、映像取得手段により取得した店舗において陳列されている一つ又は複数の商品を含む映像を、ネットワーク上の顧客に対して販売が可能なものとして、通信ネットワークを介してネットワーク上の顧客に提供することを可能とし、ネットワーク上の顧客の側は、通信ネットワークを介して前記陳列商品についての「購入若しくは購入予約の申込み、又は購入のため若しくは購入予約のために必要な手続」を店舗側に対して行うことを可能とするための遠隔商品販売用システムであって、
前記陳列商品であって「少なくともその店舗内では在庫が無い現物限りの商品」の表面又は近傍の位置に配置された告知手段であって、前記のネットワーク上の顧客が、通信ネットワークを介して、前記「現物限りの商品」についての「購入若しくは購入予約の申込み、又は購入のため若しくは購入予約のために必要な手続」を行ったことにより、前記「現物限りの商品」が陳列はされているが既に売約済みとなったとき、そのことを、店内の実際の来店客又は店員、及び／又はネットワーク上の顧客に知らせるための告知手段と、
前記のネットワーク上の顧客からの前記陳列商品についての「購入若しくは購入予約の申込み、又は購入のため若しくは購入予約のために必要な手続」の受信に基づいて、「その現物限りの商品が既に売約済みとなったこと」を店内の実際の来店客又は店員、及び／又はネットワーク上の顧客に知らせるように、前記告知手段を制御するための告知制御手段と、
を含むことを特徴とする、遠隔商品販売用システム。
【請求項６】  店舗側は、映像取得手段により取得した店舗において陳列されている一つ又は複数の陳列商品を含む映像を、ネットワーク上の顧客に対して販売が可能なものとして、通信ネットワークを介してネットワーク上の顧客に提供することを可能とし、ネットワーク上の顧客の側は、通信ネットワークを介して前記陳列商品についての「購入若しくは購入予約の申込み、又は購入のため若しくは購入予約のために必要な手続」を店舗側に対して行うことを可能とするための遠隔商品販売用システムであって、
前記陳列商品の表面又は近傍の位置に配置されている告知手段であって、前記のネットワーク上の顧客が、通信ネットワークを介して、ある陳列商品についての「購入若しくは購入予約の申込み、又は購入のため若しくは購入予約のために必要な手続」を行った結果、その陳列商品が「売り切れ」の状態となったとき、「その陳列商品が既に売り切れとなったこと」を、店内の実際の来店客又は店員、及び／又はネットワーク上の顧客に知らせるための告知手段と、
前記のネットワーク上の顧客が、通信ネットワークを介して、ある陳列商品についての「購入若しくは購入予約の申込み、又は購入のため若しくは購入予約のために必要な手続」を行った結果、その陳列商品が「売り切れ」の状態となったとき、前記のネットワーク上の顧客からの前記陳列商品についての「購入若しくは購入予約の申込み、又は購入のため若しくは購入予約のために必要な手続」の受信に基づいて、「その陳列商品が既に売り切れとなったこと」を店内の実際の来店客又は店員、及び／又はネットワーク上の顧客に知らせるように、前記告知手段を制御するための告知制御手段と、
を含むことを特徴とする、遠隔商品販売用システム。
【請求項７】  請求項１から６までのいずれか一つにおいて、
前記告知手段は、所定の情報を表示するための表示パネル、所定の光を発するための発光部、又は所定の音声や音響を発するための音発生部により構成されている、ことを特徴とする、通信ネットワークを利用した遠隔商品販売用システム。
【請求項８】  請求項１から６までのいずれか一つにおいて、
店舗内の各陳列商品別に、その表面又は近傍の位置にそれぞれ配置されているメッセージ表示手段であって、ネットワーク上の顧客が通信ネットワークを介して提供した当該陳列商品に関する感想、質問、問合せ、又は要望などのメッセージを表示するためのメッセージ表示手段、を含むことを特徴とする通信ネットワークを利用した遠隔商品販売用システム。
【請求項９】  請求項１から６までのいずれか一つにおいて、
店舗内の各陳列商品別に、その表面又は近傍の位置にそれぞれ配置されているメッセージ記録手段であって、ネットワーク上の顧客が通信ネットワークを介して提供した当該陳列商品に関する感想、質問、問合せ、又は要望などのメッセージを記録するためのメッセージ記録手段、を含むことを特徴とする通信ネットワークを利用した遠隔商品販売用システム。